(57)【要約】【課題】新たなインタフェースやデバイスドライバをコンピュータに設けることなく、従来より一般的な通信用マイクロホンをコンピュータで使用することを可能にするマイクアダプタを提供する。【解決手段】マイクが接続され、該マイクが収音した音声信号が入力される音声信号入力部と、スイッチが接続され、該スイッチのオン／オフ信号が入力されるスイッチ接続部と、前記スイッチ接続部から入力されたオン／オフ信号に応じて、特定周波数のオーディオ信号であるスイッチ信号を発生する信号発生部と、前記信号発生部が発生したスイッチ信号と前記音声信号入力部から入力された音声信号とをミキシングして合成信号として出力する信号合成部と、コンピュータのオーディオ入力部に接続され、前記合成信号を該コンピュータに入力するコンピュータ接続部と、を備える。【選択図】図１
2011035521.tif 000002
【特許請求の範囲】
【請求項１】
マイクが接続され、該マイクが収音した音声信号が入力される音声信号入力部と、
スイッチが接続され、該スイッチのオン／オフ信号が入力されるスイッチ接続部と、
前記スイッチ接続部から入力されたオン／オフ信号に応じて、特定周波数のオーディオ信号であるスイッチ信号を発生する信号発生部と、
前記信号発生部が発生したスイッチ信号と前記音声信号入力部から入力された音声信号とをミキシングして合成信号として出力する信号合成部と、
コンピュータのオーディオ入力部に接続され、前記合成信号を該コンピュータに入力するコンピュータ接続部と、
を備えたマイクアダプタ。
【請求項２】
前記スイッチ接続部および前記信号発生部を、複数のスイッチに対応してそれぞれ複数備え、
該複数の信号発生部は、それぞれ異なる周波数のスイッチ信号を発生する請求項１に記載のマイクアダプタ。
【請求項３】
前記音声信号入力部と前記信号合成部との間に、前記音声信号の周波数帯域を制限するフィルタを更に備え、
前記信号発生部は、前記フィルタの通過帯域外の周波数でスイッチ信号を発生する請求項１または請求項２に記載のマイクアダプタ。
【請求項４】
前記音声信号入力部および前記スイッチ接続部は、プッシュトゥトークスイッチを含むスイッチ付きのマイクを接続する一体型のコネクタを含む請求項１乃至請求項３のいずれかに記載のマイクアダプタ。
【請求項５】
コンピュータに、請求項１乃至請求項４のいずれかに記載のマイクアダプタと、通信機とを接続した通信システムであって、
前記コンピュータは、
前記マイクアダプタから前記合成信号を入力するオーディオ入力部と、
前記オーディオ入力部から入力した前記合成信号に前記スイッチ信号の有無を検出する信号判定部と、
前記信号判定部による前記特定周波数の信号の検出の有無に応じて前記通信機を制御する通信制御部と、
を備えた通信システム。
【発明の詳細な説明】
【技術分野】
【０００１】
この発明は、通信用のマイクロホンとパーソナルコンピュータとを接続するマイクアダプタ、および、このマイクアダプタを用いた通信システムに関する。
【背景技術】
【０００２】
据え置き型の通信機に一般的に用いられているマイクとして、プッシュトゥトーク（ＰＴＴ）スイッチを有するデスクトップ用スタンドマイクがある。この種のマイクは、脚の部分にＰＴＴスイッチが設けられており、オペレータは、ＰＴＴスイッチを押しながらマイクに向かって話すという自然な操作で発話音声を送信することができる。通信分野ではこの形態のデスクトップマイクが長年使用されて広く普及している。
【０００３】
一方、近年、通信機をコンピュータで制御する通信システムが提案されている（たとえば非特許文献１）。このような通信システムでは、通信機の周波数設定、音量、メモリ編集等をコンピュータから容易な操作で行うことができる。
【先行技術文献】
【非特許文献】
【０００４】
【非特許文献１】「DIGITAL TRANSCEIVER ID-1 取扱説明書」第３８−１１９頁、［online］、平成２０年６月２３日、アイコム株式会社、［平成21年 ６月26日検索］、インターネット〈URL：http://www.icom.co.jp/support/download/manual/pdf/ID-1.pdf〉
【発明の概要】
【発明が解決しようとする課題】
【０００５】
非特許文献１に記載の通信システムでは、通信機の設定をコンピュータを介して操作するシステムであるが、これからさらに進んで無線通信のオペレーションの制御までコンピュータで行おうとする場合、オペレータによる通信音声の入出力、送受信の切り換え操作もコンピュータが中継して通信機を制御することになる。すなわち、上述したＰＴＴスイッチ付きのデスクトップマイクをコンピュータに接続する必要が生じる。
【０００６】
パーソナルコンピュータは、一般にオーディオ入力端子を有しているため、オペレータの発話音声、すなわちマイクに入力された音声信号は、コンピュータに入力して通信機に伝達することが可能であるが、一般のコンピュータはＰＴＴスイッチのオン／オフ信号を取り込むためのインタフェースを備えていない。
【０００７】
したがって、コンピュータがＰＴＴスイッチのオン／オフ信号を取り込むことができるようにするためには、そのためのインタフェースやデバイスドライバを新たに設ける必要があった。ＵＳＢインタフェースを介してＰＴＴスイッチのオン／オフ信号をコンピュータに取り込むことも考えられるが、そのためには、やはり専用のＵＳＢデバイスドライバのインストールが必要であった。しかし、新たなインタフェースやデバイスドライバを備えることは、開発経費が掛かるうえ、コンピュータに新たなインタフェースを装着したり、デバイスドライバをインストールする必要があり面倒であった。また、セキュリティ規約等の制約により新たなデバイスドライバをインストールできないコンピュータも存在する。
【０００８】
この発明は、新たなインタフェースやデバイスドライバをコンピュータに設けることなく、従来より一般的な通信用マイクロホンをコンピュータで使用することを可能にするマイクアダプタ、および、このマイクアダプタを用いた通信システムを提供することを目的とする。
【課題を解決するための手段】
【０００９】
請求項１の発明であるマイクアダプタは、マイクが接続され、該マイクが収音した音声信号が入力される音声信号入力部と、スイッチが接続され、該スイッチのオン／オフ信号が入力されるスイッチ接続部と、前記スイッチ接続部から入力されたオン／オフ信号に応じて、特定周波数のオーディオ信号であるスイッチ信号を発生する信号発生部と、前記信号発生部が発生したスイッチ信号と前記音声信号入力部から入力された音声信号とをミキシングして合成信号として出力する信号合成部と、コンピュータのオーディオ入力部に接続され、前記合成信号を該コンピュータに入力するコンピュータ接続部と、を備えたことを特徴とする。
【００１０】
この発明では、ＰＴＴスイッチ等のスイッチのオン／オフ状態に応じて特定周波数のスイッチ信号を発生する。たとえば、スイッチがオンしているときのみスイッチ信号を発生する。このスイッチ信号がマイクから入力された音声信号とともに、コンピュータに入力される。一般的なコンピュータはオーディオインタフェースを標準で備えているため、コンピュータに新たなインタフェースやデバイスドライバを備えることなく、上記の音声信号およびスイッチ信号はコンピュータに入力される。
【００１１】
請求項２の発明は、前記スイッチ接続部および前記信号発生部を、複数のスイッチに対応してそれぞれ複数備え、該複数の信号発生部は、それぞれ異なる周波数のスイッチ信号を発生することを特徴とする。
【００１２】
請求項３の発明は、前記音声信号入力部と前記信号合成部との間に、前記マイク音声信号の周波数帯域を制限するフィルタを更に備え、前記信号発生部は、前記フィルタの通過帯域外の周波数でスイッチ信号を発生することを特徴とする。
【００１３】
請求項４の発明は、前記音声信号入力部および前記スイッチ接続部は、プッシュトゥトークスイッチを含むスイッチ付きのマイクを接続する一体型のコネクタであることを特徴とする。
【００１４】
請求項５の発明は、コンピュータに、請求項１乃至請求項４のいずれかに記載のマイクアダプタと、通信機とを接続した通信システムであって、
前記コンピュータは、前記マイクアダプタから前記合成信号を入力するオーディオ入力部と、前記オーディオ入力部から入力した前記合成信号に前記スイッチ信号の有無を検出する信号判定部と、前記信号判定部による前記特定周波数の信号の検出の有無に応じて前記通信機を制御する通信制御部と、を備えたことを特徴とする。
【発明の効果】
【００１５】
この発明によれば、ＰＴＴスイッチ等のスイッチのオン／オフをオーディオインタフェースを介してコンピュータに対して入力することができるため、コンピュータに新たなインタフェースやデバイスドライバを設ける必要がなく、従来より一般的でオペレータが使い慣れているマイクロホンを簡便にコンピュータに対して使用することが可能になる。
【図面の簡単な説明】
【００１６】
【図１】この発明の実施形態であるマイクアダプタが適用される通信システムの構成を示す図である。
【図２】通信システムに用いられるマイクの構成を示す図である。
【図３】この発明の実施形態であるマイクアダプタの構成を示すブロック図である。
【図４】マイクアダプタが出力する合成信号の信号成分の周波数分布を示す図である。
【図５】通信システムに用いられるパーソナルコンピュータの機能ブロック図である。
【図６】パーソナルコンピュータコンピュータの動作を示すフローチャートである。
【図７】マイクアダプタの他の実施形態を示すブロック図である。
【図８】上記通信システムの他の実施形態を示す図である。
【発明を実施するための形態】
【００１７】
図１はこの発明の実施形態であるマイクアダプタが適用されるリモートコミュニケーションシステムの構成図である。リモートコミュニケーションシステムは、パーソナルコンピュータ（ＰＣ）３を介して通信機（無線通信機）４を制御するシステムである。パーソナルコンピュータ３には、マイクアダプタ２を介してマイク１が接続されている。マイク１は、一般の無線通信機用のデスクトップマイクであり、プッシュ・トゥー・トーク（ＰＴＴ）スイッチ１１およびモニタ（ＭＯＮＩ）スイッチ１２を有している。
【００１８】
マイクアダプタ２は、パーソナルコンピュータ３のオーディオ入力端子に接続され、マイク１から入力された音声信号をパーソナルコンピュータ３に入力するとともに、ＰＴＴスイッチ１１、ＭＯＮＩスイッチ１２のオン／オフ状態をパーソナルコンピュータ３に入力する。パーソナルコンピュータ３は、ＰＴＴスイッチ１１、ＭＯＮＩスイッチ１２のオン／オフ状態に応じて通信機４を制御する。たとえば、ＰＴＴスイッチ１１がオンされたとき、パーソナルコンピュータ３は、通信機４を送信モードに切り換え、マイクアダプタ２を介してマイク１から入力された音声信号を通信機４に入力する。なお、この実施形態では、受信した音声を放音するスピーカ５が通信機４に直接接続されているが、パーソナルコンピュータ３にスピーカ５を接続し、受信音声をパーソナルコンピュータ３を介して放音するようにしてもよい。
【００１９】
図２はマイク１のブロック図である。マイク１は、マイクユニット１０、ＰＴＴスイッチ１１、ＭＯＮＩスイッチ１２を筐体表面に備え、マイク用のアンプ１３を内蔵している。また、マイク１をマイクアダプタ２に接続するためのコネクタ１５を有している。コネクタ１５は、マイク１の本体とケーブル１４で接続されている。
【００２０】
コネクタ１５は、電源入力端子１５Ａ、音声出力端子１５Ｂ、マイク接地端子１５Ｃ、ＰＴＴ端子１５Ｄ、スイッチ接地端子１５Ｅ、ＭＯＮＩ端子１５Ｆを有している。コネクタ１５としては、例えばモジュラプラグやＤＩＮコネクタが用いられる。
【００２１】
マイクユニット１０は、オペレータが発した声を電気信号である音声信号に変換する。マイクユニット１０としては一般にダイナミックマイクが用いられるが、これに限定されるものではない。この音声信号はアンプ１３に入力される。アンプ１３はいわゆるマイクアンプであり、マイクユニット１０が出力した微弱な電気信号を、マイクアダプタ２等の外部装置に出力できるレベルまで増幅する。アンプ１３には、コネクタ１５の電源入力端子１５Ａを介して外部装置から電源が供給される。
【００２２】
ＰＴＴスイッチ１１は、ＰＴＴ端子１５Ｄ−スイッチ接地端子１５Ｅ間に接続された第１スイッチ１１Ａおよびアンプ１３と音声出力端子１５Ｂとの間に接続された第２スイッチ１１Ｂからなっている。第１スイッチ、第２スイッチともに、オペレータによるＰＴＴスイッチ１１の押し下げによってオン（閉成）する。第１スイッチ１１Ａがオンすると、ＰＴＴ端子１５Ｄが接地状態になる。外部装置は、ＰＴＴ端子１５Ｄが接地状態になったことにより、ＰＴＴスイッチ１１のオンを検出する。また、第２スイッチがオンすると、アンプ１３から出力された音声信号がコネクタ１５の音声出力端子１５Ｂを介して外部装置（マイクアダプタ２）に出力される。
【００２３】
ＭＯＮＩスイッチ１２は、ＭＯＮＩ端子１５Ｆ−スイッチ接地端子１５Ｅ間に接続されている。オペレータによる押し下げによってＭＯＮＩスイッチ１２がオンする。ＭＯＮＩスイッチ１２がオンすると、ＭＯＮＩ端子１５Ｆが接地状態になる。外部装置は、ＭＯＮＩ端子１５Ｆが接地状態になったことにより、ＭＯＮＩスイッチ１２のオンを検出する。
【００２４】
通信機において、ＰＴＴスイッチ１１は、動作モードを受信モードまたは送信モードに切り換えるスイッチとして使用される。ＭＯＮＩスイッチ１２には、トーンスケルチを解除してトーンの異なる他局の通信を傍受（モニタ）するモニタモードを設定する機能などが設定される。
【００２５】
図３はマイクアダプタ２のブロック図である。コネクタ２０には、マイク１のコネクタ１５が接続される。コネクタ２０はコネクタ１５と同数の端子を有するが、この図では、音声出力端子１５Ｂに対応する音声入力端子２０Ｂ、ＰＴＴ端子１５Ｄに対応するＰＴＴ入力端子２０Ｄ、ＭＯＮＩ端子１５Ｆに対応するＭＯＮＩ入力端子２０Ｆのみ示している。
【００２６】
音声入力端子２０Ｂから入力された音声信号はリミッタ２１を介してバンドパスフィルタ（ＢＰＦ）２４に入力される。リミッタ２１は音声信号が所定のレベルを超えたとき、これを制限する回路である。ＢＰＦ２４は、音声信号の周波数帯域を通信に用いられる周波数帯域に制限するフィルタである。通常の無線通信の場合、３００Ｈｚ〜３．４ｋＨｚの帯域が用いられるため、ＢＰＦ２４はこの３００Ｈｚ〜３．４ｋＨｚの周波数帯域を通過させるフィルタとして構成される。ＢＰＦ２４によって帯域を制限された音声信号（以下マイク音声信号と呼ぶ）はミキサ２７に入力される。
【００２７】
コネクタ２０のＰＴＴ入力端子２０Ｄはトーンジェネレータ（ＴＧ）２２に接続されている。トーンジェネレータ２２は、１６ｋＨｚの正弦波信号を生成する発振回路である。トーンジェネレータ２２は、ＰＴＴ入力端子２０Ｄが接地状態のとき、すなわちＰＴＴスイッチ１１がオンされているとき、１６ｋＨｚの正弦波信号を発生する。以下、この１６ｋＨｚの正弦波信号をＰＴＴ信号と呼ぶ。
【００２８】
また、コネクタ２０のＭＯＮＩ入力端子２０Ｆはトーンジェネレータ（ＴＧ）２３に接続されている。トーンジェネレータ２３は、１０．６ｋＨｚの正弦波信号を発生する発振回路である。ＭＯＮＩ入力端子２０Ｆが接地状態のとき、すなわちＭＯＮＩスイッチ１２がオンされているとき、１０．６ｋＨｚの正弦波信号を発生する。以下、この１０．６ｋＨｚの正弦波信号をＭＯＮＩ信号と呼ぶ。
【００２９】
トーンジェネレータ２２が発生したＰＴＴ信号は、ＢＰＦ２５で高調波成分等を除去されたのちミキサ２７に入力される。ＢＰＦ２５は１６ｋＨｚの信号のみを通過させる狭帯域のバンドパスフィルタである。トーンジェネレータ２３が発生したＭＯＮＩ信号は、ＢＰＦ２６で高調波成分等を除去されたのちミキサ２７に入力される。ＢＰＦ２６は１０．６ｋＨｚの信号のみを通過させる狭帯域のバンドパスフィルタである。
【００３０】
ミキサ２７は、入力されたマイク音声信号、ＰＴＴ信号、ＭＯＮＩ信号をミキシングして音声出力端子（Ａｕｄｉｏ  ｏｕｔ）２８に出力する。音声出力端子２８は、たとえばステレオミニジャック等で構成される。
【００３１】
また、このマイクアダプタ２は、マイク１に付属しない他のＰＴＴスイッチ、ＭＯＮＩスイッチを接続可能にするため、スイッチ専用コネクタ２９をさらに備えている。スイッチ専用コネクタ２９は、ＰＴＴ入力端子２９Ａ、ＭＯＮＩ入力端子２９Ｂ、接地端子２９Ｃを備えている。ＰＴＴ入力端子２９Ａはトーンジェネレータ２２に接続され、ＭＯＮＩ入力端子２９Ｂはトーンジェネレータ２３に接続されている。
【００３２】
なお、信号処理をデジタルで行う場合には、リミッタ２１の後段にＡ／Ｄコンバータを挿入して音声信号をデジタル信号に変換し、ミキサ２７の後段にＤ／Ａコンバータを挿入してミキシングされたオーディオ信号をアナログ信号に変換すればよい。
【００３３】
図４は音声信号、ＰＴＴ信号、ＭＯＮＩ信号の周波数分布を示す図である。音声信号は、３００〜３．４ｋＨｚに分布し、ＰＴＴ信号、ＭＯＮＩ信号はこの帯域外にスペクトル線を有する１６ｋＨｚ、１０．６ｋＨｚの正弦波である。したがって、これらの信号はミキシングされてもスペクトルが重なり合うことなく分離可能である。
【００３４】
このように、ＰＴＴスイッチ１１のオンに対応して特定周波数のＰＴＴ信号を発生し、ＭＯＮＩスイッチ１２のオンに対応して特定周波数ＭＯＮＩ信号を発生することにより、スイッチのオン／オフ状態をオーディオ信号としてオーディオインタフェースを介してパーソナルコンピュータ３に入力することができる。
【００３５】
図５は、パーソナルコンピュータ３の機能ブロック図である。パーソナルコンピュータ３は、通信制御プログラムに基づいて動作することにより通信制御装置として機能している。通信制御装置として機能するパーソナルコンピュータ３は、オーディオボード３０、ＢＰＦ３１、３２、３３、通信制御部３４、信号判定部３５、ユーザインタフェース（ＵＩ）３６、および、ネットワーク制御部３７を備えている。ユーザインタフェース３６は、キーボード、マウス、ディスプレイ等を含んでいる。パーソナルコンピュータ３と通信機４とは、ネットワークを介して接続されている。ネットワーク制御部３７はネットワークを介した通信機４との通信を制御する。
【００３６】
オーディオボード３０は、オーディオ入力端子３０Ａを有している。このオーディオ入力端子３０Ａに、オーディオケーブルを介して、マイクアダプタ２のオーディオ出力端子２８が接続される。オーディオボード３０は、オーディオ入力端子３０Ａから入力されたオーディオ信号をデジタル信号に変換してＢＰＦ３１、３２、３３に入力する。
【００３７】
ＢＰＦ３１は、マイクアダプタ２のＢＰＦ２４と同じ特性のものであり、入力されたオーディオ信号から３００Ｈｚ〜３．４ｋＨｚの周波数帯域の成分（マイク音声信号）のみを通過させる。ＢＰＦ３２は、マイクアダプタ２のＢＰＦ２５と同じ特性のものであり、入力されたオーディオ信号から１６ｋＨｚの周波数成分（ＰＴＴ信号）のみを通過させる。ＢＰＦ３３は、マイクアダプタ２のＢＰＦ２６と同じ特性のものであり、入力されたオーディオ信号から１０．６ｋＨｚの周波数成分（ＭＯＮＩ信号）のみを通過させる。
【００３８】
ＢＰＦ３１がろ波したマイク音声信号は、通信制御部３４に入力される。また、ＢＰＦ３２、３３がろ波したＰＴＴ信号およびＭＯＮＩ信号は、信号判定部３５に入力される。
【００３９】
信号判定部３５は、ＢＰＦ３２、３３からの入力に基づき、ＰＴＴスイッチ１１またはＭＯＮＩスイッチ１２がオンされているか否かを判定する。この判定結果は通信制御部３４に入力される。
【００４０】
通信制御部３４は、信号判定部３５から入力された判定結果およびユーザインタフェース３６からの操作入力等に基づいて通信機４を制御する。すなわち、ＰＴＴスイッチ１１およびＭＯＮＩスイッチ１２の両方がオフのときは、通信機４を受信モードに設定して他の通信機から送られてくる信号を受信させる。ＰＴＴスイッチ１１がオンしているときは、通信機４を送信モードに切り換えて、マイク音声信号を通信機４に入力し、マイク音声信号を（無線で）他の通信機に送信させる。ＭＯＮＩスイッチ１２がオンしているときは、通信機のトーンスケルチを解除して、現在送信されている全てのトーンの通信音声を再生出力させる。
【００４１】
このように、パーソナルコンピュータ３からネットワークを介して通信機４を制御することができるため、オペレータは通信機４から離れた場所に居ても、通信機４を制御して通信が可能である。
【００４２】
図６は、信号判定部の動作を示すフローチャートである。この動作は一定時間ごと（例えば２０ｍｓ毎）に実行される。まず、１６ｋＨｚの信号レベルがしきい値以上であるかを判定する（Ｓ１）。１６ｋＨｚの信号レベルがしきい値以上であれば（Ｓ１でＹＥＳ）、ＰＴＴ信号が入力されていると判断し、通信制御部３４に対してＰＴＴスイッチオンを通知して（Ｓ４）動作を終了する。次に、１０．６ｋＨｚの信号レベルがしきい値以上であるかを判定する（Ｓ２）。１０．６ｋＨｚの信号レベルがしきい値以上であれば（Ｓ２でＹＥＳ）、ＭＯＮＩ信号が入力されていると判断し、通信制御部３４に対してＭＯＮＩスイッチオンを通知して（Ｓ５）動作を終了する。一方、１６ｋＨｚの信号レベルも１０．６ｋＨｚの信号レベルもともに所定のしきい値を超えていなかった場合には（Ｓ１、Ｓ２でＮＯ）、通信制御部３４に対してスイッチオフを通知して（Ｓ３）動作を終了する。
【００４３】
なお、この動作では、ＰＴＴスイッチのオンをＭＯＮＩスイッチのオンよりも先に判定しており、ＰＴＴスイッチのオンがＭＯＮＩスイッチのオンに優先するようになっているが、これは逆でもよい。また、両スイッチのオン状態を並行して通信制御部３４に通知するようにしてもよい。
【００４４】
図７はマイクアダプタ２の他の実施形態を示す図である。図３に示したマイクアダプタは、アナログの音声出力端子２８を有し、オーディオケーブルを介してパーソナルコンピュータ３と接続され、パーソナルコンピュータ３に内蔵のオーディオボードでデジタル信号に変換される形態であった。図７に示すマイクアダプタは、アナログの音声信号端子２８に代えてＵＳＢオーディオインタフェース４０を内蔵し、デジタルの音声信号をＵＳＢインタフェースを介して直接パーソナルコンピュータ３に入力する形態のものである。なお、代表的なパーソナルコンピュータのオペレーティングシステムであるＷｉｎｄｏｗｓ（登録商標）ＸＰは、ＵＳＢオーディオのドライバを標準で装備しているため、この形態であっても、新たなデバイスドライバをインストールする必要はない。
【００４５】
図７のマイクアダプタの説明において、図３に示したマイクアダプタと同一構成の部分は同一番号を付して説明を省略する。このマイクアダプタでは、リミッタ２１とＢＰＦ２４との間にＡ／Ｄコンバータ４１が設けられている。Ａ／Ｄコンバータ４１はマイク１から入力された音声信号をデジタル信号に変換する。なお、トーンジェネレータ２２、２３、ＢＰＦ２４、２５、２６、および、ミキサ２７は、全てデジタル信号処理部で構成されている。ミキサ２７でミキシングされたデジタルオーディオ信号はＵＳＢオーディオインタフェース４０からパーソナルコンピュータ３のＵＳＢインタフェースを介してパーソナルコンピュータ３に入力される。
【００４６】
このように、パーソナルコンピュータ３に内蔵のオーディオボードを使用することなく、ＵＳＢインタフェースを介してパーソナルコンピュータにオーディオ信号を入力することができるため、オーディオボードを備えないパーソナルコンピュータにも使用することができ、また、パーソナルコンピュータのオーディオボードの性能に機能が左右されることがない。
【００４７】
なお、マイクアダプタが発生する信号は、ＰＴＴ信号、ＭＯＮＩ信号の２種類に限定されない。いずれか一方のみでもよく、さらに、他の信号を発生するようにしてもよい。また、各信号の周波数はこの実施形態の周波数に限定されない。ただし、誤検出を避けるため、単純な分数関係にない２つの周波数を選択することが望ましい。
【００４８】
また、この実施形態では、ＰＴＴスイッチがオンしているときのみＰＴＴ信号を発生するようにしているが、ＰＴＴ信号の発生時期はこれに限定されない。たとえば、ＰＴＴスイッチがオフしている間、ＰＴＴスイッチのオンタイミング、オフタイミング等に発生してもよい。また、ＰＴＴスイッチのオン期間とオフ期間で異なる周波数の信号を発生するようにしてもよい。また、ＭＯＮＩ信号についても同様である。
【００４９】
上記実施形態では、無線通信を行う通信機４をＰＣ３と別体に備え、ＰＣ３が通信機４を制御する構成のリモートコミュニケーションシステムについて説明した。
図８は、パーソナルコンピュータ（ＰＣ３）が通信機を兼ねる構成のリモートコミュニケーションシステムを示す図である。この実施形態においてＰＣ３は、通信機４のように一般の無線通信を行うのではなく、ＩＰネットワーク６を介して、ＩＰプロトコルに基づいて他の通信機との通信を行う。他の通信機は、ＩＰネットワーク６に接続されている他のパーソナルコンピュータ（ＰＣ）やレピータ７を介して通信するトランシーバ８を含んでいる。
【００５０】
上記構成のリモートコミュニケーションシステムにおいて、ＰＣ３は、音声信号の送信時、音声信号に対してＩＰネットワーク６に送出できるように帯域制御、圧縮等の信号処理を施し（上位レイヤ処理）、音声信号を封入した通信フレームに対して送信先となるトランシーバ８のＩＤやそのトランシーバ８が属するレピータ７のＩＤ等を付加する（下位レイヤ処理）。音声信号の受信時は、ＩＰネットワーク６を介して、自装置宛に送られてきた通信フレームを受信し（下位レイヤ処理）、復調して（上位レイヤ処理）スピーカ５から音声を出力する。
【００５１】
このような構成のリモートコミュニケーションシステムにおいても、図３に示したマイクアダプタを同様に用いることができる。ＰＣ３においては、通信機の機能を実現するために必要なアプリケーション（たとえばフィルタ処理）に、ＰＴＴ信号とＭＯＮＩ信号を検出するための処理を追加するのみでよい。
【符号の説明】
【００５２】
１  マイク
２  マイクアダプタ
３  パーソナルコンピュータ
４  通信機
６  ＩＰネットワーク
７  レピータ
８  トランシーバ
１０  マイクロホンユニット
１１  ＰＴＴ（プッシュトゥトーク）スイッチ
１２  ＭＯＮＩ（モニタ）スイッチ
３５  信号判定部
【図１】
2011035521.tif 000003
【図２】
2011035521.tif 000004
【図３】
2011035521.tif 000005
【図４】
2011035521.tif 000006
【図５】
2011035521.tif 000007
【図６】
2011035521.tif 000008
【図７】
2011035521.tif 000009
【図８】
2011035521.tif 000010